(57)【要約】【課題】吸気温度の上昇を抑制しつつ燃料の気化を促進して燃費向上を図る。【解決手段】吸気ポート３０は、その壁面の一部が、シリンダヘッド１６に取着された断熱部材４４で構成されている。断熱部材４４は、吸気ポート３０を流れる吸気の噴口４２０２よりも上流側に位置する上流部分４６と、噴口４２０２よりも下流側に位置する下流部分４８とを有している。上流部分４６の内周面４６０２は、噴口４２０２よりも上流側に位置する吸気ポート３０の壁面３００２の全域を構成している。下流部分４８の内面４８０２は、噴口４２０２よりも下流側に位置する吸気ポート３０の壁面のうち噴口４２０２に対向する側の壁面３００４の箇所を構成する。噴口４２０２よりも下流側に位置する吸気ポート３０の壁面のうち噴口４２０２が位置する側の壁面３００６の箇所はシリンダヘッド１６で構成されている。【選択図】図１
2018091343.tif 000002
【特許請求の範囲】
【請求項１】
吸気通路に配置されて燃料を供給するインジェクタと吸気ポートの内部に配置されて前記吸気ポートと吸気通路を形成する断熱部材とを備える内燃機関の吸気ポート断熱構造であって、
前記断熱部材は、前記インジェクタが配置される側の壁面に切欠を有して形成されることを特徴とする内燃機関の吸気ポート断熱構造。
【請求項２】
前記インジェクタの噴口は前記吸気ポート内部に配置され、
前記断熱部材は、前記噴口より前記吸気通路上流側の壁部を成す上流側壁部と、
前記噴口より前記吸気通路下流側を成す下流側壁部とから構成され、
前記切欠は前記下流側壁部に設けられる
ことを特徴とする請求項１に記載の内燃機関の吸気ポート構造。
【請求項３】
前記下流側壁部は前記噴口に対向する側の前記壁面の前記燃料噴霧が付着される箇所まで延設される
ことを特徴とする請求項１または２記載の内燃機関の吸気ポート構造。
【請求項４】
前記断熱部材の前記上流側壁部は略円筒状に形成され、前記吸気ポートの壁面を構成する内周面と、前記シリンダヘッドの凹部に嵌合される外周面とを有し、
前記外周面は、前記下流部分に近づくにつれて外径寸法が小さくなる傾斜面で形成されている、
ことを特徴とする請求項１または２記載の内燃機関の吸気ポート構造。
【請求項５】
前記断熱部材は、中空の部材と、前記中空の部材の内部に挿入された断熱材料とで構成されている、
ことを特徴とする請求項１〜３の何れか１項記載の内燃機関の吸気ポート構造。
【請求項６】
前記上流側壁部と前記下流側壁部は別体である、
ことを特徴とする請求項１〜４の何れか１項記載の内燃機関の吸気ポート構造。
【発明の詳細な説明】
【技術分野】
【０００１】
本発明は内燃機関の吸気ポート構造に関し、より詳細にはポート噴射式の内燃機関の吸気ポート構造に関する。
【背景技術】
【０００２】
近年、燃費向上の観点から熱効率を高めた高圧縮比の内燃機関が求められている。
高圧縮比の内燃機関は、低圧縮比の機関に比べて圧縮後の混合気の温度が高くなるため、ノッキングしやすくなり、点火時期をリタード（遅角）する必要がある。
その結果、燃費の向上効果が低減してしまうことから、吸気温度ひいては混合気温度の上昇を抑制することが必要となる。
ところで、吸気は、インテークマニホールドの吸気通路と、シリンダヘッドに設けられる吸気ポートを介して燃焼室に吸引される。
インテークマニホールドおよびシリンダヘッドは、燃焼室から伝わる熱によって加熱されているため、吸気は、インテークマニホールドの吸気通路やシリンダヘッドの吸気ポートの壁面から受熱することで温度上昇することが避けられない。
そこで、インテークマニホールドを断熱性を有する樹脂材料で構成し、インテークマニホールドの樹脂製の挿入部を吸気ポートに挿入した吸気管の取付構造が提案されている（特許文献１参照）。
この構造では、樹脂製の挿入部を吸気ポートに挿入し、吸気ポートの壁面のうちシリンダヘッドの壁面で構成される部分の面積を減らして、吸気の温度上昇の抑制を図っている。
【先行技術文献】
【特許文献】
【０００３】
【特許文献１】特開２００７−２８５１７１号公報
【発明の概要】
【発明が解決しようとする課題】
【０００４】
ところで、インジェクタから吸気ポート内に燃料を噴射するポート噴射式の内燃機関の場合、インジェクタから噴射された燃料は、吸気ポートの壁面を構成するシリンダヘッドの壁面および吸気バルブに当たって受熱することで気化が促進される。
内燃機関の回転速度が上昇し吸気速度が速くなると、インジェクタの噴口から噴射された燃料は、噴口よりも下流側に位置する吸気ポートの壁面のうち噴口が位置する側の吸気ポートの壁面に当たって受熱することで気化が促進される。
上記従来技術の場合、樹脂製の挿入部が噴口よりも下流側まで延在していることから、噴口よりも下流側に位置する吸気ポートの壁面のうち噴口が位置する側の吸気ポートの壁面を構成するシリンダヘッドの壁面の部分の面積も少ない。
このため、噴口から噴出された燃料は、樹脂製の挿入部で構成される壁面の部分に付着してしまい、燃料の気化が抑制されることから、燃焼効率が低下し、燃費の向上を図る上で不利となる。
本発明は、上記事情に鑑みなされたものであり、吸気温度の上昇を抑制しつつ、燃料の気化を促進することにより燃費の向上を図る上で有利な内燃機関の吸気ポート構造を提供することを目的とする。
【課題を解決するための手段】
【０００５】
上記目的を達成するために、請求項１記載の発明は、吸気通路に配置されて燃料を供給するインジェクタと、吸気ポートの内部に配置されて前記吸気ポートと吸気通路を形成する断熱部材とを備える内燃機関の吸気ポート断熱構造であって、前記断熱部材は、前記インジェクタが配置される側の壁面に切欠を有して形成されることを特徴とする。
請求項２記載の発明は、前記インジェクタの噴口は前記吸気ポート内部に配置され、前記断熱部材は、前記噴口より前記吸気通路上流側の壁部を成す上流側壁部と、前記噴口より前記吸気通路下流側を成す下流側壁部とから構成され、前記切欠は前記下流側壁部に設けられることを特徴とする。
請求項３記載の発明は、前記下流側壁部は前記噴口に対向する側の前記壁面の前記燃料噴霧が付着される箇所まで延設されることを特徴とする。
請求項４記載の発明は、前記断熱部材の前記上流側壁部は略円筒状に形成され、前記吸気ポートの壁面を構成する内周面と、前記シリンダヘッドの凹部に嵌合される外周面とを有し、前記外周面は、前記下流部分に近づくにつれて外径寸法が小さくなる傾斜面で形成されていることを特徴とする。
請求項５記載の発明は、前記断熱部材は、中空の部材と、前記中空の部材の内部に挿入された断熱材料とで構成されていることを特徴とする。
請求項６記載の発明は、前記上流側壁部と前記下流側壁部は別体であることを特徴とする。
【発明の効果】
【０００６】
請求項１記載の発明によれば、エンジンの高速回転域において、インジェクタから噴射される燃料が付着する壁面はシリンダヘッドで構成されるため、燃料の燃焼効率の向上を図る上で有利となり、また、噴口から噴射された燃料の大半が付着されない壁面の箇所であるポートの壁面は、断熱部材で構成されているので、吸気の温度上昇を抑制する上で有利となる。したがって、エンジンの燃費の向上を図る上で有利となる。
請求項２記載の発明によれば、エンジンの高速回転域において、噴口から噴射された燃料の大半が付着する吸気ポートの壁面は、シリンダヘッドで構成されているので、吸気ポートの壁面に付着した燃料の気化が高温なシリンダヘッドの壁面で効率よくなされ、燃料の燃焼効率の向上を図る上で有利となる。また、エンジンの高速回転域において、噴口から噴射された燃料の大半が付着されない壁面の箇所であるポートの壁面は、断熱部材で構成されているので、シリンダヘッドの熱の吸気への伝達が抑制され、吸気の温度上昇を抑制する上で有利となる。したがって、エンジンの燃費の向上を図る上で有利となる。
請求項３記載の発明によれば、エンジンの低速回転域において、噴口から噴射された燃料の大半が付着する吸気ポートの壁面は、シリンダヘッドで構成されているので、吸気ポートの壁面に付着した燃料の気化が高温なシリンダヘッドの壁面で効率よくなされ、燃料の燃焼効率の向上を図る上で有利となる。また、エンジンの低速回転域において、噴口から噴射された燃料の大半が付着されない壁面の箇所であるポートの壁面は、断熱部材で構成されているので、シリンダヘッドの熱の吸気への伝達が抑制され、吸気の温度上昇を抑制する上で有利となる。したがって、エンジンの燃費の向上を図る上で有利となる。
請求項４記載の発明によれば、吸気ポートの凹部に上流部分を嵌合させたときに、上流部分をガタツキなく嵌合する上で有利となる。
請求項５記載の発明によれば、中空の部材の内部に挿入する断熱材料の種類を選択し、あるいは、シート状の断熱材料の枚数および厚さを設定することで、シリンダヘッドの温度分布に対応させて最適な吸気ポートの断熱性能を確保する上で有利となる。
請求項６記載の発明によれば、上流部分と下流部分とに用いる断熱材料の種類を変えることで、上流部分と下流部分とで断熱性能を変えることができ、シリンダヘッドの温度分布に対応させて最適な吸気ポートの断熱性能を確保する上で有利となる。
【図面の簡単な説明】
【０００７】
【図１】本実施の形態に係る内燃機関の吸気ポート構造を示す断面図である。
【図２】（Ａ）は図１のＡＡ線断面図、（Ｂ）は図１のＢＢ線断面図、（Ｃ）は図１のＣＣ線断面図を示す。
【図３】断熱部材の構成を示す斜視図である。
【図４】断熱部材の構成を示す断面図である。
【発明を実施するための形態】
【０００８】
以下、本発明の実施の形態について図面を参照して説明する。
まず、内燃機関の全体構成について説明する。
図１に示すように、内燃機関（以下エンジンという）１０は、シリンダ１２が形成されたシリンダブロック１４と、シリンダブロック１４の上部に設けられたシリンダヘッド１６と、シリンダ１２に配設されたピストン１８とを含んで構成されている。
シリンダヘッド１６の両側には吸気管２０（インテークマニホールド）と排気管２２（エキゾーストマニホールド）が連結されている。
燃焼室２４は、シリンダ１２の内周面とシリンダヘッド１６の下面とピストン１８の頂面とによって構成され、シリンダヘッド１６には燃焼室２４に位置するように点火プラグ２６が設けられている。
ピストン１８はコネクティングロッド２８を介して不図示のクランクシャフトに連結され、図中符号１８０２、１８０４は圧力リング、符号１８０６はオイルリングを示している。
【０００９】
シリンダヘッド１６には、燃焼室２４に吸気を供給する吸気ポート３０と、燃焼室２４内の排気を排出する排気ポート３２とが設けられている。
吸気ポート３０には、吸気管２０の吸気通路２００２が接続され、排気ポート３２には、排気管２２の排気通路２２０２が接続されている。
また、吸気ポート３０に吸気バルブ３４が設けられ、排気ポート３２に排気バルブ３６が設けられ、それら吸気バルブ３４、排気バルブ３６はバルブスプリング３８，４０により閉止方向に付勢されている。吸気バルブ３４、排気バルブ３６は不図示の吸排気カムにより駆動され、吸気ポート３０、排気ポート３２を開閉する。
【００１０】
本実施の形態では、エンジン１０は、インジェクタ４２から吸気ポート３０内に燃料を噴射するポート噴射式エンジンである。
インジェクタ４２は、不図示のポンプから供給された燃料を噴射するものであり、吸気ポート３０内に噴口４２０２を向けた燃料噴射ノズル４２０４と、燃料噴射ノズル４２０４に設けられアクチュエータにより噴口４２０２を開閉する不図示のニードル弁とを含んで構成されている。
ポート噴射式エンジンでは、吸気管２０の吸気通路２００２から吸気ポート３０内に吸入された吸入空気とインジェクタ４２の噴口４２０２から噴射された燃料とが吸気ポート３０内で混合されて混合気となり、燃焼室２４に供給される。
そして、クランクシャフトが回転することにより、吸気カム、排気カムを介して吸気バルブ３４、排気バルブ３６が開閉され、吸気行程、圧縮行程、膨張行程、排気行程が実行され、主として、排気・吸気行程中に、噴口４２０２から燃料が吸気ポート３０内に噴射される。
【００１１】
図１に示すように、吸気ポート３０は、その壁面の一部が、シリンダヘッド１６に取着された断熱部材４４で構成され、断熱部材４４は、インジェクタ４２が配置される側の壁面に切欠４４０２を有している。
図２（Ａ）に示すように、吸気ポート３０は、噴口４２０２が位置する側の壁面と噴口４２０２に対向する側の壁面との間の高さＨと、この高さＨに直交し高さＨよりも大きい寸法の幅Ｗとを有する細長形状を呈している。
図２（Ａ）〜（Ｃ）において符号Ｃ１は高さの中心を通る中心線を示し、符号Ｃ２は幅の中心を通る中心線を示し、吸気ポート３０は中心線Ｃ１に対して線対称の形状であり、また、中心線Ｃ２に対して線対称の形状であり、噴口４２０２は中心線Ｃ２上に位置している。
断熱部材４４は、吸気ポート３０を流れる吸気の噴口４２０２よりも上流側に位置する上流部分４６と、噴口４２０２よりも下流側に位置する下流部分４８とを有している。
図１、図２（Ａ）、図３に示すように、上流部分４６は筒状で、吸気ポート３０の壁面を構成する内周面４６０２と、その反対に位置しシリンダヘッド１６の凹部１６０２に嵌合される外周面４６０４とを有している。
外周面４６０４は、下流部分４８に近づくにつれて外径寸法が小さくなる傾斜面で形成されている。
上流部分４６の内周面４６０２は、吸気ポート３０が均一の断面をもって延在するように形成され、噴口４２０２よりも上流側に位置する吸気ポート３０の壁面３００２の全域を構成している。
【００１２】
また、下流部分４８は、吸気ポート３０の壁面を構成する内面４８０２と、その反対に位置しシリンダヘッド１６の凹部１６０２に嵌合される外面４８０４とを有している。
下流部分４８の内面４８０２は、噴口４２０２よりも下流側に位置する吸気ポート３０の壁面のうち噴口４２０２に対向する側の壁面３００４の箇所を構成し、噴口４２０２よりも下流側に位置する吸気ポート３０の壁面のうち噴口４２０２が位置する側で吸気ポート３０の延在方向に沿って延在する壁面３００６の箇所はシリンダヘッド１６で構成されている。
したがって、本実施の形態では、切欠４４０２は、上流部分４６の下流端と下流部分４８の上縁で囲まれた領域で燃焼室２４側に向けて開放状に形成されている。
下流部分４８の内面の幅Ｗ方向の中心は中心線Ｃ２上に位置し、本実施の形態では、図１、図２（Ｂ）、（Ｃ）、図３に示すように、下流部分４８の内面の幅Ｗ１と、下流部分４８の内面の高さＨ１は、燃焼室２４側に近づくにつれて次第に小さくなり、吸気ポート３０の延在方向における単位長さ当たりの内面の面積が吸気の流れの下流側に至るにつれ次第に小さくなるように形成されている。
このように下流部分４８の内面４８０２の幅Ｗ１、高さＨ１を燃焼室２４側に近づくにつれて次第に小さくし、吸気ポート３０の延在方向における単位長さ当たりの内面４８０２の面積を吸気の流れの下流側に至るにつれ次第に小さくしている。これにより、燃焼室２４付近で断熱部材４４が配置される面積が最小になるため、燃料を速やかに気化する上で有利となる。また、噴口４２０２から噴出された燃料の噴霧形状に合わせて断熱部材４４が配置されるため、吸気管２０を断熱しつつ燃料の気化を促進する上で有利となる。
【００１３】
本実施の形態によれば、エンジン１０の高速回転域において、吸気ポート３０を流れる吸気速度が速くなるため、噴口４２０２から噴射された燃料の大半は、噴口４２０２が位置する側で吸気ポート３０の延在方向に沿って延在する壁面３００６の箇所に付着する。
そして、壁面３００６から受熱することで吸気ポート３０内で気化を促進され、吸気と混合された混合気として燃焼室２４に吸引され、吸気ポート３０の壁面３００６に付着しなかった燃料は、吸気ポート３０内で吸気と混合されて燃焼室２４に吸引される。
本実施の形態では、噴口４２０２よりも下流側に位置する吸気ポート３０の壁面のうち噴口４２０２が位置する側で吸気ポート３０の延在方向に沿って延在する壁面３００６の箇所はシリンダヘッド１６で構成されている。
そのため、エンジン１０の高速回転域において、吸気ポート３０の壁面３００６に付着した燃料の気化が高温なシリンダヘッド１６の壁面３００６で効率よくなされ、燃料の燃焼効率の向上を図る上で有利となる。
また、エンジン１０の高速回転域において、噴口４２０２から噴射された燃料の大半が付着されない壁面の箇所である噴口４２０２よりも上流側に位置する吸気ポート３０の壁面３００２の全域と噴口４２０２よりも下流側に位置する吸気ポート３０の壁面のうち噴口４２０２に対向する側の壁面３００４の箇所は、上流部分４６と下流部分４８とからなる断熱部材４４で構成されているので、シリンダヘッド１６の熱の吸気への伝達が抑制され、吸気の温度上昇を抑制する上で有利となり、エンジン１０の燃費の向上を図る上で有利となる。
したがって、吸気の温度上昇を抑制しつつ燃焼効率を向上できるので、エンジン１０の燃費の向上を図る上で有利となる。
【００１４】
また、エンジン１０の低速回転域では、噴口４２０２から噴射された燃料は、その大半が噴口４２０２に対向する側の吸気ポート３０の壁面３００８および吸気バルブ３４に付着する。
そして、壁面３００８および吸気バルブ３４から受熱することで吸気ポート３０内で気化が促進され、吸気と混合された混合気として燃焼室２４に吸引され、吸気ポート３０の壁面３００８に付着しなかった燃料は、吸気ポート３０内で吸気と混合されて燃焼室２４に吸引される。
本実施の形態では、噴口４２０２に対向する側の壁面３００４の箇所で燃料噴霧が付着される壁面３００８の範囲はシリンダヘッド１６で構成されている。
そして、下流部分４８は、噴口４２０２に対向する壁面３００４の箇所から壁面３００８の範囲の手前まで延在している。
そのため、エンジン１０の低速回転域において、吸気ポート３０の壁面３００８に付着した燃料の気化が効率よくなされ、燃料の燃焼効率の向上を図る上で有利となる。
また、下流部分４８が噴口４２０２に対向する壁面３００４の箇所から壁面３００８の範囲の手前まで延在しているので、シリンダヘッド１６の熱の吸気への伝達が抑制され、吸気の温度上昇を抑制する上でより有利となる。
したがって、エンジン１０の低速回転域において、吸気の温度上昇をより抑制しつつ燃焼効率をより向上できるので、エンジン１０の燃費の向上を図る上でより一層有利となる。
【００１５】
また、上流部分４６の外周面４６０４は、下流部分４８に近づくにつれて外径寸法が小さくなる傾斜面で形成されているので、シリンダヘッド１６の凹部１６０２に上流部分４６を嵌合したときに、上流部分４６をガタツキなく嵌合する上で有利となる。
【００１６】
また、上流部分４６と下流部分４８とを別体で構成した場合、上流部分４６と下流部分４８とに用いる断熱材料の種類を変えることで、断熱性能を変えることができる。
例えば、上流部分４６が配置されたシリンダヘッド１６部分に冷却水通路（高温）が配置され、下流部分４８が配置されたシリンダヘッド１６部分がそれより低温である場合は、下流部分４８よりも上流部分４６の断熱性能を高めるように、断熱部材４４を構成する断熱材料を選択し、あるいは、断熱材料の密度を設定できる。
そのため、シリンダヘッド１６の温度分布に対応させて最適な断熱性能を確保する上で有利となる。
【００１７】
また、図４に示すように、上流部分４６と下流部分４８をそれぞれ、中空の部材と、中空の部材の内部に挿入された断熱材料５０とで構成してもよい。
このように中空の部材を用いると、中空の部材に挿入する断熱材料５０としてシート状のものや粉末，液体など壁面を構成する上で十分な特性を有していない物質を用いることができ、所望する断熱性能に応じたシート状の断熱材料５０を選択した場合は、断熱材料５０の枚数および厚さを設定できる。
そのため、シリンダヘッド１６の温度分布に対応させて最適な断熱性能を確保する上で有利となる。
【００１８】
なお、中空の部材を構成する材料は、合成樹脂材料あるいは金属材料など従来公知の様々な材料が使用可能である。
また、断熱部材４４を上流部分４６と下流部分４８とが一体的に構成された中空あるいは中実の合成樹脂材料で構成してもよいし、中空の金属材料で構成してもよい。
しかしながら、本実施の形態のように、断熱部材４４の上流部分４６と下流部分４８をそれぞれ、中空の部材と、中空の部材の内部に挿入された断熱材料５０とで構成すると、最適な断熱性能を確保する上でより有利となる。
【００１９】
また、吸気管２０側の開口から複数の吸気ポート３０が分岐し、各吸気ポート３０にインジェクタ４２が設けられる場合には、上流部分４６および下流部分４８が適宜分岐されることになり、各インジェクタ４２とそれら分岐された下流部分４８との相対的位置関係は実施の形態と同様である。
【符号の説明】
【００２０】
１０  エンジン（内燃機関）
１６  シリンダヘッド
３０  吸気ポート
３００２  壁面
３００４  壁面
３００６  壁面
３００８  壁面
４２  インジェクタ
４２０２  噴口
４４  断熱部材
４４０２  切欠
４６  上流部分
４６０２  内周面
４６０４  外周面
４８  下流部分
５０  断熱材料
【図１】
2018091343.tif 000003
【図２】
2018091343.tif 000004
【図３】
2018091343.tif 000005
【図４】
2018091343.tif 000006
【手続補正書】
【提出日】平成30年3月22日(2018.3.22)
【手続補正１】
【補正対象書類名】明細書
【補正対象項目名】０００５
【補正方法】変更
【補正の内容】
【０００５】
上記目的を達成するために、請求項１記載の発明は、吸気通路に配置されて燃料を供給するインジェクタと、吸気ポートの内部に配置されて前記吸気ポートと吸気通路を形成する断熱部材とを備える内燃機関の吸気ポート断熱構造であって、前記断熱部材は、前記噴口より前記吸気通路上流側に位置する上流側壁部と、前記噴口より前記吸気通路下流側に位置する下流側壁部とを有するとともに、前記インジェクタが配置される側の壁面に切欠を有しており、当該切欠は、前記上流側壁部の下流端と前記下流側壁部の上縁で囲まれた領域に設けられており、前記上流側壁部の下流端は前記噴口より前記吸気通路上流側に位置していることを特徴とする。
請求項２記載の発明は、前記下流側壁部は前記噴口に対向する側の前記壁面の前記燃料噴霧が付着される箇所まで延設されることを特徴とする。
請求項３記載の発明は、前記断熱部材の前記上流側壁部は略円筒状に形成され、前記吸気ポートの壁面を構成する内周面と、前記シリンダヘッドの凹部に嵌合される外周面とを有し、前記外周面は、前記下流部分に近づくにつれて外径寸法が小さくなる傾斜面で形成されていることを特徴とする。
請求項４記載の発明は、前記断熱部材は、中空の部材と、前記中空の部材の内部に挿入された断熱材料とで構成されていることを特徴とする。
請求項５記載の発明は、前記上流側壁部と前記下流側壁部は別体であることを特徴とする。
【手続補正２】
【補正対象書類名】明細書
【補正対象項目名】０００６
【補正方法】変更
【補正の内容】
【０００６】
請求項１記載の発明によれば、断熱部材の上流側壁部の下流端は噴口より吸気通路の上流側に位置し、噴口よりも下流側に位置する吸気ポートの壁面のうち噴口が位置する側で噴口から吸気ポートの延在方向に沿って延在する壁面の箇所がシリンダヘッドで構成されているため、噴口より下流の吸気ポートは壁面が露出することになる。
従って、エンジンの高速回転域において、吸気ポートを流れる吸気速度が速くなるため、噴口から噴射された燃料の大半は、噴口が位置する側で吸気ポートの延在方向に沿って延在する壁面の箇所に付着し、壁面から受熱することで、吸気ポート内で気化が効率よくなされ燃料の燃焼効率の向上を図る上で有利となる。また、噴口から噴射された燃料の大半が付着されない壁面の箇所であるポートの壁面は、断熱部材で構成されているので、吸気の温度上昇を抑制する上で有利となる。したがって、エンジンの燃費の向上を図る上で有利となる。
請求項２記載の発明によれば、エンジンの低速回転域において、噴口から噴射された燃料の大半が付着する吸気ポートの壁面は、シリンダヘッドで構成されているので、吸気ポートの壁面に付着した燃料の気化が高温なシリンダヘッドの壁面で効率よくなされ、燃料の燃焼効率の向上を図る上で有利となる。また、エンジンの低速回転域において、噴口から噴射された燃料の大半が付着されない壁面の箇所であるポートの壁面は、断熱部材で構成されているので、シリンダヘッドの熱の吸気への伝達が抑制され、吸気の温度上昇を抑制する上で有利となる。したがって、エンジンの燃費の向上を図る上で有利となる。
請求項３記載の発明によれば、吸気ポートの凹部に上流部分を嵌合させたときに、上流部分をガタツキなく嵌合する上で有利となる。
請求項４記載の発明によれば、中空の部材の内部に挿入する断熱材料の種類を選択し、あるいは、シート状の断熱材料の枚数および厚さを設定することで、シリンダヘッドの温度分布に対応させて最適な吸気ポートの断熱性能を確保する上で有利となる。
請求項５記載の発明によれば、上流部分と下流部分とに用いる断熱材料の種類を変えることで、上流部分と下流部分とで断熱性能を変えることができ、シリンダヘッドの温度分布に対応させて最適な吸気ポートの断熱性能を確保する上で有利となる。
【手続補正３】
【補正対象書類名】特許請求の範囲
【補正対象項目名】全文
【補正方法】変更
【補正の内容】
【特許請求の範囲】
【請求項１】
吸気通路に配置されて燃料を供給するインジェクタと、吸気ポートの内部に配置されて前記吸気ポートと吸気通路を形成する断熱部材とを備える内燃機関の吸気ポート断熱構造であって、
前記断熱部材は、前記噴口より前記吸気通路上流側に位置する上流側壁部と、前記噴口より前記吸気通路下流側に位置する下流側壁部とを有するとともに、前記インジェクタが配置される側の壁面に切欠を有しており、
当該切欠は、前記上流側壁部の下流端と前記下流側壁部の上縁で囲まれた領域に設けられており、
前記上流側壁部の下流端は前記噴口より前記吸気通路上流側に位置している、
ことを特徴とする内燃機関の吸気ポート断熱構造。
【請求項２】
前記下流側壁部は前記噴口に対向する側の前記壁面の前記燃料噴霧が付着される箇所まで延設されることを特徴とする請求項１記載の内燃機関の吸気ポート構造。
【請求項３】
前記断熱部材の前記上流側壁部は略円筒状に形成され、前記吸気ポートの壁面を構成する内周面と、前記シリンダヘッドの凹部に嵌合される外周面とを有し、
前記外周面は、前記下流部分に近づくにつれて外径寸法が小さくなる傾斜面で形成されている、
ことを特徴とする請求項１または２記載の内燃機関の吸気ポート構造。
【請求項４】
前記断熱部材は、中空の部材と、前記中空の部材の内部に挿入された断熱材料とで構成されている、
ことを特徴とする請求項１〜３の何れか１項記載の内燃機関の吸気ポート構造。
【請求項５】
前記上流側壁部と前記下流側壁部は別体である、
ことを特徴とする請求項１〜４の何れか１項記載の内燃機関の吸気ポート構造。